(57)【特許請求の範囲】
【請求項１】
ワイヤが挿通されたキャピラリと、ワイヤをクランプするクランパとを備え、キャピラリに挿通されたワイヤをキャピラリで第１ボンド点である電極パッドと第２ボンド点である外部リードとの間を接続するワイヤボンディング方法において、電極パッドにボンディング後、クランパが開状態でキャピラリを外部リードの上方より下降させてワイヤが完全に外部リードに接続させない程度にワイヤを押し潰して薄肉部を形成し、次にクランパを閉じてキャピラリを第１ボンド点とほぼ同じ高さに上昇させて前記薄肉部をキャピラリと共に上昇させ、続いてキャピラリを第１ボンド点から離れる方向に移動させて第１ボンド点にボンディングさせたワイヤを引っ張って該ワイヤを直線状ワイヤ部とすると共に前記薄肉部より切断させ、次にキャピラリで前記直線状ワイヤ部の端部を押圧して外部リードにボンディングすると共に、キャピラリ下端のワイヤ先端を外部リードにボンディングし、次にクランパが開いてキャピラリを上昇させる上昇途中にクランパを閉じて前記キャピラリ下端のワイヤ先端を外部リードより剥がしてキャピラリ下端より延在したテール部を形成することを特徴とするワイヤボンディング方法。
【請求項２】
ワイヤが挿通されたキャピラリと、ワイヤをクランプするクランパとを備え、キャピラリに挿通されたワイヤをキャピラリで第１ボンド点である電極パッドと第２ボンド点である外部リードとの間を接続するワイヤボンディング方法において、電極パッドにボンディング後、クランパが開状態でキャピラリを外部リードの上方より下降させてワイヤが完全に外部リードに接続させない程度にワイヤを押し潰して薄肉部を形成し、次にクランパを閉じてキャピラリを第１ボンド点とほぼ同じ高さに上昇させて前記薄肉部をキャピラリと共に上昇させ、続いてキャピラリを第１ボンド点から離れる方向に移動させて第１ボンド点にボンディングさせたワイヤを引っ張って該ワイヤを直線状ワイヤ部とすると共に前記薄肉部より切断させ、次にキャピラリを下降させてキャピラリ下端のワイヤ先端を外部リードにボンディングし、次にクランパが開いてキャピラリを上昇させる上昇途中にクランパを閉じて前記キャピラリ下端のワイヤ先端を外部リードより剥がしてキャピラリの下端より延在したテール部を形成し、このテール部にボールを形成した後、このボールを前記直線状ワイヤ部の端部に押し付けて該直線状ワイヤ部の端部と共にボールを外部リードにボンディングしてボールを圧着ボールに形成し、続いてキャピラリを上昇させる上昇途中にクランパを閉じて圧着ボールよりワイヤを切断してキャピラリ下端より延在したテール部を形成することを特徴とするワイヤボンディング方法。
【発明の詳細な説明】
【技術分野】
【０００１】
本発明は、ダイの電極パッドと外部リードとの間をワイヤで接続するワイヤボンディング方法に係り、特に低ワイヤループ形成方法に関する。
【背景技術】
【０００２】
第２ボンド点にワイヤをボンディングするために、キャピラリが第２ボンド点の僅かに上方に移動した場合には、キャピラリの下端から余分のワイヤが垂れ下がって垂れ下がり部を形成したワイヤ形状となっている。この垂れ下がり部は、第２ボンド点にワイヤをボンディングした時に反発を起こして上方に膨らみ、ワイヤループの直進性を劣化させる。従来、第２ボンド点へのボンディング時におけるワイヤループの膨らみを防止するワイヤボンディング方法として、例えば特許文献１及び２が挙げられる。
【特許文献１】特開平４−３７０９４１号公報（特許第３０４９５１５号）
【特許文献１】特開２０００−８２７１７号公報
【０００３】
特許文献１は、第１ボンド点にワイヤを接続後、キャピラリを第２ボンド点の僅かに上方で、かつ僅かに第１ボンド点側に位置させた後、キャピラリを第２ボンド点の方向に斜めに下降させて第２ボンド点にワイヤをボンディングする。このように、キャピラリを斜めに下降させることにより、キャピラリの下端から垂れ下がっている垂れ下がり部が吸収される。
【０００４】
特許文献２は、第１ボンド点にワイヤを接続した後、キャピラリを第２ボンド点より僅かに第１ボンド点側に下降してキャピラリの下端より垂れ下がった垂れ下がり部を水平面に押し付け、次にキャピラリは上昇及び第２ボンド点の上方に移動させた後、キャピラリを下降させて第２ボンド点にワイヤをボンディングする。このように、第２ボンド点にボンディングする前にキャピラリの下端より垂れ下がったワイヤを水平面に押し付けるので、第２ボンド点へのボンディング時におけるワイヤループの膨らみを防止することができる。
【０００５】
なお、発明が解決しようとする課題と直接関係ないが、第１ボンド点からのワイヤループの高さを低く形成するワイヤボンディング方法として、例えば特許文献３が挙げられる。特許文献３は、ワイヤの先端に形成したボールをダイの電極パッドに圧着して圧着ボールを形成し、次にキャピラリを上昇移動・水平移動等のループコントロールを行った後に圧着ボール上にワイヤを圧着してワイヤボンディング部を形成している。このように、第１ボンド点へのボンディングを行うことにより第１ボンド点からワイヤループ高さを低くすることができる。
【特許文献３】特開平９−５１０１１号公報
【発明の開示】
【発明が解決しようとする課題】
【０００６】
特許文献１のように第２ボンド点へのボンディング前にキャピラリを斜めに下降させても、キャピラリの下端部にはワイヤの垂れ下がり部は通常の第２ボンド点へのボンディング方法より少ないが、依然として残る。従って、第２ボンド点にボンディングした時における前記垂れ下がり部によるワイヤの塑性変形による反発は避けられなく、ワイヤループの傾斜部に膨らみが生じる。
【０００７】
特許文献２のように垂れ下がり部を水平面に押し付けた場合、垂れ下がり部はキャピラリ内とワイヤループの傾斜部に分散し、それぞれの部分を弛ませる。次の工程でキャピラリが或る高さまで上昇した時、キャピラリ内に弛んでいたワイヤが下方に押し戻され、キャピラリの下端部に出てくる。次の第２ボンド点へのボンディングで前記キャピラリの下端部に出てきたワイヤを第２ボンド点に押圧するので、特許文献１の時と同様に、ワイヤの塑性変形による反発が生じ、通常の第２ボンド点へのボンディング方法より小さいが、ワイヤループの傾斜部に膨らみが生じる。
【０００８】
本発明の課題は、ワイヤループの膨らみを除去することができ、更に一層の直進性の向上が図れるワイヤボンディング方法を提供することにある。
【課題を解決するための手段】
【０００９】
上記課題を解決するための本発明の請求項１は、ワイヤが挿通されたキャピラリと、ワイヤをクランプするクランパとを備え、キャピラリに挿通されたワイヤをキャピラリで第１ボンド点である電極パッドと第２ボンド点である外部リードとの間を接続するワイヤボンディング方法において、電極パッドにボンディング後、クランパが開状態でキャピラリを外部リードの上方より下降させてワイヤが完全に外部リードに接続させない程度にワイヤを押し潰して薄肉部を形成し、次にクランパを閉じてキャピラリを第１ボンド点とほぼ同じ高さに上昇させて前記薄肉部をキャピラリと共に上昇させ、続いてキャピラリを第１ボンド点から離れる方向に移動させて第１ボンド点にボンディングさせたワイヤを引っ張って該ワイヤを直線状ワイヤ部とすると共に前記薄肉部より切断させ、次にキャピラリで前記直線状ワイヤ部の端部を押圧して外部リードにボンディングすると共に、キャピラリ下端のワイヤ先端を外部リードにボンディングし、次にクランパが開いてキャピラリを上昇させる上昇途中にクランパを閉じて前記キャピラリ下端のワイヤ先端を外部リードより剥がしてキャピラリ下端より延在したテール部を形成することを特徴とする。
【００１０】
上記課題を解決するための本発明の請求項２は、ワイヤが挿通されたキャピラリと、ワイヤをクランプするクランパとを備え、キャピラリに挿通されたワイヤをキャピラリで第１ボンド点である電極パッドと第２ボンド点である外部リードとの間を接続するワイヤボンディング方法において、電極パッドにボンディング後、クランパが開状態でキャピラリを外部リードの上方より下降させてワイヤが完全に外部リードに接続させない程度にワイヤを押し潰して薄肉部を形成し、次にクランパを閉じてキャピラリを第１ボンド点とほぼ同じ高さに上昇させて前記薄肉部をキャピラリと共に上昇させ、続いてキャピラリを第１ボンド点から離れる方向に移動させて第１ボンド点にボンディングさせたワイヤを引っ張って該ワイヤを直線状ワイヤ部とすると共に前記薄肉部より切断させ、次にキャピラリを下降させてキャピラリ下端のワイヤ先端を外部リードにボンディングし、次にクランパが開いてキャピラリを上昇させる上昇途中にクランパを閉じて前記キャピラリ下端のワイヤ先端を外部リードより剥がしてキャピラリの下端より延在したテール部を形成し、このテール部にボールを形成した後、このボールを前記直線状ワイヤ部の端部に押し付けて該直線状ワイヤ部の端部と共にボールを外部リードにボンディングしてボールを圧着ボールに形成し、続いてキャピラリを上昇させる上昇途中にクランパを閉じて圧着ボールよりワイヤを切断してキャピラリ下端より延在したテール部を形成することを特徴とする。
【発明の効果】
【００１１】
キャピラリを第１ボンド点から離れる方向に移動させて第１ボンド点に接続させたワイヤを引っ張って該ワイヤを直線状ワイヤ部とすると共に前記薄肉部より切断させる。この工程により跳ね上がり部は引っ張られ、また薄肉部より切断されて片持支持の直線状ワイヤ部となる。この片持支持の直線状ワイヤ部の端部をキャピラリによって押圧して外部リードにボンディングするので、ワイヤループの直進性が向上する。
【発明を実施するための最良の形態】
【００１２】
本発明のワイヤボンディング方法の第１の実施の形態を図１乃至図３により説明する。外部リード１が形成されたリードフレーム２上には、電極パッド３が形成されたダイ４がマウントされている。図３（ｂ）に示すように、キャピラリ５にはワイヤ１０が挿通されている。なお、６はクランパを示す。
【００１３】
まず、図１（ａ）に示す第１ボンド点Ａにボンディングを行い、圧着ボール１１と該圧着ボール１１上にワイヤボンディング部１２を形成する。この圧着ボール１１及びワイヤボンディング部１２の形成は、例えば特許文献３の方法で行う。即ち、図３（ｂ）に示すように、クランパ６が閉じた状態でキャピラリ５の下端より延在するテール部１３に図示しない電気トーチによる火花放電によってボール１４を形成する。次にクランパ６は開いた状態となり、キャピラリ５が第１ボンド点Ａの上方に移動した後に下降し、ボール１４を第１ボンド点Ａにボンディングして、図１（ａ）に示すように圧着ボール１１を形成する。続いてキャピラリ５が上昇移動・水平移動等のループコントロールを行った後に圧着ボール１１上にワイヤ１０を圧着してワイヤボンディング部１２を形成する。その後、キャピラリ５は外部リード１の第２ボンド点Ｂの僅かに上方に位置する。この場合、キャピラリ５の下端から余分のワイヤ１０が垂れ下がった垂れ下がり部１５が形成されている。
【００１４】
次に図１（ｂ）に示すように、キャピラリ５が下降してワイヤ１０をリードフレーム２の外部リード１に押し付け、薄肉部１６を形成する。このように、ワイヤ１０を外部リード１に押し付けると、垂れ下がり部１５が跳ね上がり、跳ね上がり部１７となる。この場合、薄肉部１６は外部リード１に完全に接続されなく、次の図１（ｃ）工程でクランパ６が閉じてキャピラリ５が上昇する時、薄肉部１６がキャピラリ５と共に持ち上げられる半接続状態に押し潰される。次にクランパ６が閉じて図１（ｃ）に示すように、キャピラリ５は第１ボンド点Ａの高さとほぼ同じ高さまで上昇する。
【００１５】
次に図２（ａ）に示すように、キャピラリ５は第１ボンド点Ａから離れる方向に水平移動する。これにより、跳ね上がり部１７が引っ張られてほぼ水平な直線状ワイヤ部１８が形成されると共に、薄肉部１６より切断される。続いて図２（ｂ）に示すように、キャピラリ５は該キャピラリ５の下端が直線状ワイヤ部１８の端部１９の上方に位置するように移動する。次に図２（ｃ）に示すように、キャピラリ５が下降し、直線状ワイヤ部１８の端部１９を外部リード１にボンディングする。この時、キャピラリ５の下端より僅かに伸びたワイヤ先端部２０も外部リード１に接続される。
【００１６】
次にクランパ６は開き、図３（ａ）（ｂ）に示すように、キャピラリ５が上昇する。このキャピラリ５の上昇途中、即ち図３（ａ）に示すように上昇した時にクランパ６が閉じる。これにより、図３（ｂ）に示すように、ワイヤ先端部２０は外部リード１より剥がれ、キャピラリ５の下端にはテール部１３が形成される。このテール部１３に電気トーチによってボール１４を形成した後に図１の工程に移る。
【００１７】
このように、図１（ｃ）から図２（ａ）の工程により跳ね上がり部１７は引っ張られ、また薄肉部１６より切断されて片持支持の直線状ワイヤ部１８となる。この片持支持の直線状ワイヤ部１８の端部１９を図２（ｂ）（ｃ）に示すように、キャピラリ５によって押圧して第２ボンド点Ｂにボンディングするので、ワイヤループの直進性が向上する。
【００１８】
本発明のワイヤボンディング方法の第２の実施の形態を図４乃至図６により説明する。本実施の形態は、前記実施の形態と図１（ａ）から図２（ａ）までは同じである。図４（ａ）は図２（ａ）の状態を示す。前記実施の形態は、図２（ａ）の工程後、直線状ワイヤ部１８の端部１９をキャピラリ５により直接第２ボンド点Ｂにボンディングした。本実施の形態は、図４（ａ）（図２（ａ））の工程後、直線状ワイヤ部１８の端部１９をキャピラリ５により直接第２ボンド点Ｂにボンディングしない。
【００１９】
図４（ａ）の工程後、図４（ｂ）に示すように、キャピラリ５が下降し、ワイヤ先端部２０を外部リード１に軽く接続する。次にクランパ６は開き、図４（ｃ）及び図５（ａ）に示すように、キャピラリ５が上昇する。このキャピラリ５の上昇途中、即ち図４（ｃ）に示すように上昇した時にクランパ６が閉じる。これにより、図５（ａ）に示すように、ワイヤ先端部２０は外部リード１より剥がれ、キャピラリ５の下端にはテール部２５が形成される。このテール部２５に図示しない電気トーチによる火花放電によってボール２６を形成する。
【００２０】
次にクランパ６は開いた状態となり、キャピラリ５は直線状ワイヤ部１８の端部１９の上方に移動する。続いて図５（ｃ）に示すように、キャピラリ５が下降して直線状ワイヤ部１８の端部１９を外部リード１に押し付けると共に、ボール２６を直線状ワイヤ部１８の端部１９上及び外部リード１にボンディングし、圧着ボール２７を形成する。次に図６（ａ）（ｂ）に示すように、キャピラリ５が上昇する。このキャピラリ５の上昇途中、即ち図６（ａ）に示すように上昇した時にクランパ６が閉じる。これにより、図６（ｂ）に示すように、圧着ボール２７の上端よりワイヤ１０は切断され、キャピラリ５の下端にはテール部１３が形成される。このテール部１３に図示しない電気トーチによる火花放電によってボール１４を形成した後に図１の工程に移る。
【００２１】
本実施の形態においても片持支持の直線状ワイヤ部１８の端部１９を第２ボンド点Ｂにボンディングするので、前記実施の形態と同様にワイヤループの直進性が向上する。また本実施の形態においては、第２ボンド点Ｂにボンディングされた端部１９に圧着ボール２７を形成するので、第２ボンド点Ｂへのボンディングの肉厚が厚くなり、強度が向上する。
【００２２】
なお、上記実施の形態においては、第１ボンド点Ａへのボンディングを特許文献３のボンディング方法でボンディングを行ったが、この方法に限定されるものではなく通常のボンディング方法でもよい。しかし、特許文献３のボンディング方法であると、第１ボンド点Ａからの立ち上がりを低くすることができ好ましい。
【図面の簡単な説明】
【００２３】
【図１】本発明のワイヤボンディング方法の第１の実施の形態を示す工程図である。
【図２】図１の続きの工程図である。
【図３】図２の続きの工程図である。
【図４】本発明のワイヤボンディング方法の第２の実施の形態を示す工程図である。
【図５】図４の続きの工程図である。
【図６】図５の続きの工程図である。
【符号の説明】
【００２４】
Ａ    第１ボンド点
Ｂ    第２ボンド点
１    外部リード
２    リードフレーム
３    電極パッド
４    ダイ
５    キャピラリ
６    クランパ
１０    ワイヤ
１１    圧着ボール
１２    ワイヤボンディング部
１５    垂れ下がり部
１６    薄肉部
１７    跳ね上がり部
１８    直線状ワイヤ部
１９    端部
２０    ワイヤ先端部
２５    テール部
２６    ボール
２７    圧着ボール
【図１】
0004530975.tif 000002
【図２】
0004530975.tif 000003
【図３】
0004530975.tif 000004
【図４】
0004530975.tif 000005
【図５】
0004530975.tif 000006
【図６】
0004530975.tif 000007